(57)【要約】【課題】集塵性能があるとともに、良好な仕上げが得られ、また、高さ２Ｍ以上の壁や天井部分にも届くので広く作業範囲で安全に作業することができる研磨機を提供する。【解決手段】集塵機本体１とこれに接続する吸引ホース２および柄となる延長管３と、その先端に設ける回転部・吸引部４とからなり、該回転部・吸引部４にラバーパットに研磨部材を重ねたディスクサンダーを取付け、前記回転部の回転に伴って前記研磨部材が天井面或いは壁面等を研磨する研磨機で、ディスクサンダーのラバーパットは厚さのあるドーナツ円盤形のスポンジで形成した。【選択図】図５
0003181759.tif 000002
【実用新案登録請求の範囲】
【請求項１】
集塵機本体とこれに接続する吸引ホースおよび柄となる延長管と、その先端に設ける回転部・吸引部とからなり、該回転部・吸引部にラバーパットに研磨部材を重ねたディスクサンダーを取付け、前記回転部の回転に伴って前記研磨部材が天井面或いは壁面等を研磨する研磨機で、ディスクサンダーのラバーパットは厚さのあるドーナツ円盤形のスポンジで形成したことを特徴とする研磨機。
【請求項２】
ディスクサンダーは、ラバーパットに研磨部材を貼り付けてなり、ラバーパットに対して研磨部材は円盤形でその外周が張り出してなる請求項１記載の研磨機。
【考案の詳細な説明】
【技術分野】
【０００１】
本考案は、建物の内装工事において、石膏ボードの結合箇所でのパテの研磨作業時に生じる粉塵発生を抑えるために利用する吸引機能付き研磨機に関するものである。
【背景技術】
【０００２】
建物の内装としてクロス仕上げや塗装仕上げをする場合、下地として石膏ボードを施工したあとに、石膏ボード間の継ぎ目や石膏ボードを下地桟にビスで固定する際にできたビス孔などを埋めるために、石膏ボード表面にパテを塗る作業が行われる。
【０００３】
パテが乾燥した後には、石膏ボード表面の不陸をなくすため、余分なパテを研磨する作業が行われる。このパテ研磨作業は、紙ヤスリなどで余分なパテを削りとるが、パテの研磨には図７に示すようにハンディタイプの電動研磨機（手持ち操作サンダー）２１が用いられる。
【０００４】
しかし、パテ研磨作業の際、研磨したパテの粉塵が舞い上がり、周辺をパテの粉塵で汚してしまい、他工種に悪影響を与える。また、じん肺のリスクもあり、目、耳、呼吸器等に悪影響を与えるおそれがあり、マスクやゴーグル等の保護具の装着が必須である。
【０００５】
さらに、作業終了後にパテの粉塵の除去する清掃を行わなければならなかった。そのため、養生が必要となる。
【０００６】
また、ハンディタイプの電動研磨機２１では、高さ２Ｍ以上の壁や天井部分には届かないので、立馬や可搬式作業台２３を設置して使用する。その際、落下等の事故がおこるおそれもある。
【０００７】
そこで、作業者は粉塵を掃除機等で吸い取って掃除していた。
【０００８】
しかし、このような内装施工で生じる粉塵は、下地壁面に塗布されているパテの凸部を鑢掛け研磨して生じるパテ粉が主で、粒径約５〜３０μｍの細かい粉体が多量に発生するため、最近では、このような多量の細かい粉塵を効率よく捕集できるように、鑢をかけながら同時に電動集塵機で粉塵を吸い取るものが用いられるようになっている。
【０００９】
電動集塵機は、下記特許文献にもあるが、例えば、図８に示すように、ハンディタイプの電動研磨機２１を、サンダー２２の鑢面を露呈した状態でサンダー周囲を覆うカバー部材２６を把持部２５を介して取付けたものとし、カバー部材上部の吸引口２８と携帯型の電動集塵機２０とをホース２９で連結することによって、鑢面で生じた粉塵を落とすことなくカバー部材内部に留め、電動集塵機２０による吸い込みでカバー部材内部から粉塵を吸引するという集塵サンダーである。
【特許文献１】特開２００１−６２７２５号公報
【考案の概要】
【考案が解決しようとする課題】
【００１０】
この特許文献１の集塵サンダー（ハンディタイプの電動研磨機２１）も高さ２Ｍ以上の壁や天井部分には届かないので、立馬や可搬式作業台２３を使用しなければならない。
【００１１】
また、振動型の集塵サンダーであり、把持部２５をもってある程度、押し付け度合いを調整して使用するもので、その力加減が難しいものである。
【００１２】
本考案の目的は前記従来例の不都合を解消し、集塵性能があるとともに、良好な仕上げが得られ、また、高さ２Ｍ以上の壁や天井部分にも届くので広く作業範囲で安全に作業することができる研磨機を提供することある。
【課題を解決するための手段】
【００１３】
前記目的を達成するため請求項１記載の本考案は、集塵機本体とこれに接続する吸引ホースおよび柄となる延長管と、その先端に設ける回転部・吸引部とからなり、該回転部・吸引部にラバーパットに研磨部材を重ねたディスクサンダーを取付け、前記回転部の回転に伴って前記研磨部材が天井面或いは壁面等を研磨する研磨機で、ディスクサンダーのラバーパットは厚さのあるドーナツ円盤形のスポンジで形成したことを要旨とするものである。
【００１４】
請求項１記載の本考案によれば、集塵機本体とこれに接続する吸引ホースおよび柄となる延長管とからなるので、柄となる延長管を保持することにより、高さ２Ｍ以上の壁や天井部分にも届かせて作業を行うことができ、立馬や可搬式作業台が必要なく、落下のおそれもない。
【００１５】
また、回転部の回転に伴って前記研磨部材が天井面或いは壁面等を研磨する研磨機であるが、ディスクサンダーのラバーパットは厚さのあるドーナツ円盤形のスポンジで形成したので、硬質ゴムのように硬過ぎることもなく、適度な柔らかさで押し付けることができ、研磨の仕上げも良好なものとなる。
【００１６】
請求項２記載の本考案は、ディスクサンダーは、ラバーパットに研磨部材を貼り付けてなり、ラバーパットに対して研磨部材は円盤形でその外周が張り出してなることを要旨とするものである。
【００１７】
請求項２記載の本考案によれば、ディスクサンダーは、ラバーパットに研磨部材を付着した一体型のものであり、研磨部材はラバーパットでしっかりと支承されるとともに、その外周が張り出してなることで、回転部・吸引部のフード開口面の隙間を少なくし、粉塵の効率的な吸引を維持することができる。
【考案を実施するための形態】
【００１８】
以下、図面について本考案の実施の形態を詳細に説明する。まず、本考案の研磨機の全体について説明すると、図５に示すように、集塵機本体１とこれに接続する吸引ホース２および柄となる延長管３と、その先端に設ける回転部・吸引部４とからなる。
【００１９】
集塵機本体１は、縦ドラム型で、下部にキャスター１ａを設けた移動可能のものとした。
【００２０】
吸引ホース２は可撓管であり、延長管３は硬質管である。延長管３は伸縮または継ぎ足し可能なものとすることができる。
【００２１】
回転部・吸引部４は、延長管３の先端もしくはそれに接続する可撓管１４が開口する円盤形フード５の中央に回転駆動軸６があり、該回転駆動軸６にディスクサンダー７を形成するラバーパット８と研磨部材であるサンドペーパー９が重ね合わさった状態で固定される。図中１０が回転駆動軸６側の支承板、１１は抑えのネジである。
【００２２】
ラバーパット８は図２に示すように、厚さのあるドーナツ円盤形である。スポンジで形成し、中央に円形の孔８ａを形成した。
【００２３】
サンドペーパー９も薄板の円盤形であり、中央に円形の孔９ａを形成しているが、ラバーパット８とサンドペーパー９は貼り付けにより一体のものとし、ラバーパット８に対してサンドペーパー９はその外周９ｂが張り出してなる。
【００２４】
前記ラバーパット８の中央の円形の孔８ａに対して、サンドペーパー９の中央の円形の孔９ａは大きく、孔９ａからラバーパット８中央の円形の孔８ａの周囲部分が顕出する。この部分に、抑えのネジ１１の頭部が当接する。
【００２５】
ディスクサンダー７は、回転駆動軸６に抑えのネジ１１で止めることで、回転部・吸引部４の円盤形フード５内に収まり、図４に示すように回転部・吸引部４には回転駆動機構１２が設けてあり、これによりディスクサンダー７は、回転部・吸引部４において回転する。図中１３は延長管３に設けた把持部兼操作部である。
【００２６】
次に使用法について説明すると、パテ研磨作業の際、研磨したパテの粉塵はほとんど集塵機本体１に回収され、外に漏れることはない。また、図６に示すように、延長管３により壁や天井部分にも届かせることができ、作業台等を必要としないですむ。
【００２７】
そして、サンドペーパー９を当てた際には、ラバーパット８が緩衝材として作用し、硬すぎず、満足のいく仕上がりが得られる。
【図面の簡単な説明】
【００２８】
【図１】本考案の研磨機の要部である回転部・吸引部の斜視図である。
【図２】本考案の研磨機に使用するディスクサンダーの説明図である。
【図３】回転部・吸引部の構成を示す斜視図である。
【図４】本考案の研磨機の延長管および回転部・吸引部の斜視図である。
【図５】本考案の研磨機の使用状態を示す側面図である。
【図６】本考案の研磨機の他の使用状態を示す側面図である。
【図７】従来例の使用状態を示す側面図である。
【図８】他の従来例を示す斜視図である。
【符号の説明】
【００２９】
１…集塵機本体                      １ａ…キャスター
２…吸引ホース                      ３…延長管
４…回転部・吸引部                  ５…円盤形フード
６…回転駆動軸                      ７…ディスクサンダー
８…ラバーパット                    ８ａ…孔
９…サンドペーパー                  ９ａ…孔
９ｂ…外周                          １０…支承板
１１…抑えのネジ                    １２…回転駆動機構
１３…把持部兼操作部                １４…可撓管
２０…電動集塵機                    ２１…電動研磨機
２２…サンダー                      ２３…可搬式作業台
２５…把持部                        ２６…カバー部材
２８…吸引口                        ２９…ホース
【図１】
0003181759.tif 000003
【図２】
0003181759.tif 000004
【図３】
0003181759.tif 000005
【図４】
0003181759.tif 000006
【図５】
0003181759.tif 000007
【図６】
0003181759.tif 000008
【図７】
0003181759.tif 000009
【図８】
0003181759.tif 000010